【手続補正書】
【提出日】平成24年10月25日(2012.10.25)
【手続補正１】
【補正対象書類名】特許請求の範囲
【補正対象項目名】全文
【補正方法】変更
【補正の内容】
【特許請求の範囲】
【請求項１】
カード型機器を制御対象機器に挿入又は接続することで、無線又は有線のネットワークを介して、前記カード型機器とゲートウェイが接続され、制御対象機器の機器認証が行われ、前記ゲートウェイに接続された保守制御又は遠隔監視用装置から前記制御対象機器の遠隔保守制御又は遠隔監視を行う通信機器システムであって、
前記カード型機器は、
前記制御対象機器又は他の装置のカードスロットにピン又は接点により接続するための接続部と、
無線又は有線のネットワークに接続するための通信部と、
予め定められたカードＩＤ、予め定められた認証局アドレス、機器認証ＩＤ、機器ＩＤ、ゲートウェイID、及び前記ゲートウェイが設定する暗号鍵を記憶するためのカード記憶部と、
前記ゲートウェイに設定される情報変換モジュールに従い、制御対象機器で使用される信号と前記ゲートウェイに接続された保守制御又は遠隔監視用装置で使用される遠隔保守制御情報又は遠隔監視情報との間でプロトコル変換又は他の変換処理を行なう情報変換部と、
前記情報変換手段からの情報を、前記カード記憶部に記憶された暗号鍵に基づき暗号化して前記通信手段により送り出し、一方、前記通信手段からの情報を、前記暗号鍵に基づき復号化して前記情報変換手段に送り出す暗号／復号化部と、を備え、
前記カード型機器が、前記接続部により前記制御対象機器に差し込まれ又は接続されると、前記カード型機器は、前記カード記憶部に記憶されたゲートウェイIDに従い、前記通信部によりネットワークを介して前記ゲートウェイとの間でセションを確立し、
前記カード型機器は、前記接続部を介して、前記制御対象機器から機器ＩＤを取得し、
前記カード型機器は、前記制御対象機器から前記接続部を介して取得した機器ＩＤと、前記カード記憶部に記憶された機器ＩＤとを比較し、
前記カード型機器は、両方の機器ＩＤが合致した場合、前記カード記憶部に記憶された機器認証ＩＤを、暗号鍵に従い前記暗号／複合化部により暗号化し、前記通信部によりネットワークを介して前記ゲートウェイに送信することで、前記ゲートウェイにより機器認証を実行し、
前記カード型機器は、前記ゲートウェイが機器認証を完了後、前記情報変換部により、情報変換モジュールに従い、前記制御対象機器の電気信号と前記ゲートウェイ側機器の情報家電用又は遠隔保守制御用又は遠隔監視用の情報との間でプロトコル変換又は他の変換処理を行ない、且つ、前記ゲートウェイから送られてきた該情報を、前記カード記憶部に記憶された暗号鍵に基づき、前記暗号／復号化部で復号化して前記情報変換部に送り、及び／又は、前記情報変換部から送られてきた情報を、前記カード記憶部に記憶された暗号鍵に基づき、暗号化して前記通信部によりネットワークを介して前記ゲートウェイに送ることを特徴とする通信機器システム。
【請求項２】
前記カード型機器は、認証局のカードスロットに挿入又は接続されたとき、前記認証局との認証確認後に、前記接続部を介して、カードＩＤと認証局アドレスを受信し、前記カード記憶部にカードＩＤと認証局アドレスを設定することを特徴とする請求項１に記載の通信機器システム。
【請求項３】
前記カードＩＤに対して情報変換モジュール、機器認証ＩＤ、機器ＩＤを記憶する認証局記憶部と、
前記カード型機器と接続するための認証局カードスロットと、を有する認証局をさらに備え、
前記認証局のカードスロットに前記カード型機器が差し込まれ、操作者のＩＤ及びパスワードが入力されると、前記認証局は、入力された操作者のＩＤ及びパスワードを確認し、
前記認証局は、確認した結果が妥当であれば、前記カード型機器を初期化し、
前記認証局は、機器認証ＩＤが入力されると、その機器認証ＩＤに基づき、前記認証局記憶部に事前に記憶された機器認証ＩＤを検索し、
機器認証ＩＤが登録済みであれば、前記認証局は、前記認証局記憶部を検索して、事前に登録された当該機器認証ＩＤに対応するカードＩＤと認証局アドレスを求めて、前記認証局カードスロットを介して前記カード型機器に送り、
前記カード型機器は、前記接続部を介して、カードＩＤと認証局アドレスを受信し、前記カード記憶部に設定することを特徴とする請求項１に記載の通信機器システム。
【請求項４】
前記カード型機器が、前記ゲートウェイから前記接続部を経由して、機器ＩＤ、機器認証ＩＤ、暗号鍵、情報変換モジュール、ゲートウェイＩＤを受信し、機器ＩＤと機器認証ＩＤと暗号鍵とゲートウェイＩＤを前記カード記憶部に設定し、情報変換モジュールを前記情報変換部に設定することを特徴とする請求項１乃至３のいずれかに記載の通信機器システム。
【請求項５】
前記カードＩＤに対して情報変換モジュール、機器認証ＩＤ、機器ＩＤを記憶する認証
局記憶部を有する認証局をさらに備え、
前記ゲートウェイは、
カードＩＤに対して、情報変換モジュール、機器認証ＩＤ、機器ＩＤ、暗号鍵を記憶するゲートウェイ記憶部と、
前記カード型機器の前記接続部と接続するためのゲートウェイカードスロットと、を備え、
前記認証局によりカードＩＤと認証局アドレスが予め設定された前記カード型機器を、前記ゲートウェイのゲートウェイカードスロットに挿入し、
前記ゲートウェイは、前記カード型機器が挿入された事を認識し、前記カード記憶部からカードＩＤと認証局アドレスを、前記ゲートウェイカードスロットを介して読み出し、
前記ゲートウェイは、認証局アドレスに従い、前記認証局とセションを張り、
前記ゲートウェイは、カードＩＤを前記認証局に送り、
前記認証局は、前記認証局記憶部を検索し、該カードＩＤに対応して記憶されている機器ＩＤ、機器認証ＩＤ、情報変換モジュールを前記ゲートウェイに当該セションを使って送付し、
前記ゲートウェイは、カードＩＤに対して、情報変換モジュール、機器認証ＩＤ、機器ＩＤ、暗号鍵を前記ゲートウェイ記憶部に記憶し、
前記ゲートウェイは、当該カード型機器に対するユニークな暗号鍵を生成し、ゲートウェイＩＤと、送られてきた機器ＩＤ、機器認証ＩＤ、情報変換モジュールと共に前記カード型機器に、前記ゲートウェイカードスロットを介して、送付し、
前記カード型機器は、前記ゲートウェイから前記接続部を経由して、機器ＩＤ、機器認証ＩＤ、暗号鍵、情報変換モジュール、ゲートウェイＩＤを受信し、機器ＩＤと機器認証ＩＤと暗号鍵とゲートウェイＩＤを前記カード記憶部に設定し、情報変換モジュールを前記情報変換部に設定することを特徴とする請求項１または２に記載の通信機器システム。
【請求項６】
前記ゲートウェイは、
カードＩＤに対して、情報変換モジュール、機器認証ＩＤ、機器ＩＤ、暗号鍵を記憶するゲートウェイ記憶部、を備え、
前記カード型機器が、前記カード記憶部に記憶された機器認証ＩＤを、前記通信部によりネットワークを介して前記ゲートウェイに送信した際、前記ゲートウェイは、前記ゲートウェイ記憶部に記憶されたカードＩＤに対する機器認証ＩＤを検索し、受信した機器認証ＩＤと合致したら機器認証を確認することを特徴とする請求項１乃至５のいずれかに記載の通信機器システム。
【請求項７】
前記カード型機器は、機器認証ＩＤを、前記情報変換手段の情報変換モジュールにより変換し、前記ゲートウェイに前記通信手段により機器認証ＩＤを送信することを特徴とする請求項１乃至６のいずれかに記載の通信機器システム。
【請求項８】
カード型機器を制御対象機器に挿入又は接続することで、無線又は有線のネットワークを介して、前記カード型機器とゲートウェイが接続され、制御対象機器の機器認証が行われ、前記ゲートウェイに接続された保守制御又は遠隔監視用装置から前記制御対象機器の遠隔保守制御又は遠隔監視を行う通信機器システムにおけるカード型機器であって、
前記制御対象機器又は他の装置のカードスロットにピン又は接点により接続するための接続部と、
無線又は有線のネットワークに接続するための通信部と、
予め定められたカードＩＤ、予め定められた認証局アドレス、機器認証ＩＤ、機器ＩＤ、ゲートウェイID、及び前記ゲートウェイが設定する暗号鍵を記憶するためのカード記憶部と、
前記ゲートウェイに設定される情報変換モジュールに従い、制御対象機器で使用される信号と前記ゲートウェイに接続された保守制御又は遠隔監視用装置で使用される遠隔保守制御情報又は遠隔監視情報との間でプロトコル変換又は他の変換処理を行なう情報変換部と、
前記情報変換手段からの情報を、前記カード記憶部に記憶された暗号鍵に基づき暗号化して前記通信手段により送り出し、一方、前記通信手段からの情報を、前記暗号鍵に基づき復号化して前記情報変換手段に送り出す暗号／復号化部と、を備え、
前記カード型機器が、前記接続部により前記制御対象機器に差し込まれ又は接続されると、前記カード型機器は、前記カード記憶部に記憶された認証局アドレスに従い、前記通信部によりネットワークを介して前記ゲートウェイとの間でセションを確立し、
前記カード型機器は、前記接続部を介して、前記制御対象機器から機器ＩＤを取得し、
前記カード型機器は、前記制御対象機器から前記接続部を介して取得した機器ＩＤと、前記カード記憶部に記憶された機器ＩＤとを比較し、
前記カード型機器は、両方の機器ＩＤが合致したならば、前記カード記憶部に記憶された機器認証ＩＤを、暗号鍵に従い前記暗号／複合化部により暗号化し、前記通信部によりネットワークを介して前記ゲートウェイに送信することで、前記ゲートウェイにより機器認証を実行し、
前記ゲートウェイが機器認証を完了後、前記カード型機器は、前記情報変換部により、情報変換モジュールに従い、前記制御対象機器の電気信号と前記ゲートウェイ側機器の情報家電用又は遠隔保守制御用又は遠隔監視用の情報との間でプロトコル変換又は他の変換処理を行ない、且つ、前記ゲートウェイから送られてきた該情報を、前記カード記憶部に記憶された暗号鍵に基づき、前記暗号／復号化部で復号化して前記情報変換部に送り、及び／又は、前記情報変換部から送られてきた情報を、前記カード記憶部に記憶された暗号鍵に基づき、暗号化して前記通信部によりネットワークを介して前記ゲートウェイに送ることを特徴とするカード型機器。
【請求項９】
前記カード型機器が、認証局のカードスロットに挿入又は接続されたとき、前記認証局との認証確認後に、前記接続部を介して、カードＩＤと認証局アドレスを受信し、前記カード記憶部にカードＩＤと認証局アドレスを設定することを特徴とする請求項８に記載のカード型機器。
【請求項１０】
前記カード型機器が、前記ゲートウェイから前記接続部を経由して、機器ＩＤ、機器認証ＩＤ、暗号鍵、情報変換モジュール、ゲートウェイＩＤを受信し、機器ＩＤと機器認証ＩＤと暗号鍵とゲートウェイＩＤを前記カード記憶部に設定し、情報変換モジュールを前記情報変換部に設定することを特徴とする請求項８又は９に記載のカード型機器。
【請求項１１】
前記ゲートウェイは、
カードＩＤに対して、情報変換モジュール、機器認証ＩＤ、機器ＩＤ、暗号鍵を記憶するゲートウェイ記憶部と、
前記カード型機器の前記接続部と接続するためのゲートウェイカードスロットと、を備え、
前記認証局によりカードＩＤと認証局アドレスが予め設定された前記カード型機器を、前記ゲートウェイのゲートウェイカードスロットに挿入し、
前記ゲートウェイは、前記カード型機器が挿入された事を認識し、前記カード記憶部からカードＩＤと認証局アドレスを、前記ゲートウェイカードスロットを介して読み出し、
前記ゲートウェイは、認証局アドレスに従い、前記認証局とセションを張り、
前記ゲートウェイは、カードＩＤを前記認証局に送り、
前記認証局は、前記認証局記憶部を検索し、該カードＩＤに対応して記憶されている機器ＩＤ、機器認証ＩＤ、情報変換モジュールを前記ゲートウェイに当該セションを使って送付し、
前記ゲートウェイは、カードＩＤに対して、情報変換モジュール、機器認証ＩＤ、機器ＩＤ、暗号鍵を前記ゲートウェイ記憶部に記憶し、
前記ゲートウェイは、当該カード型機器に対するユニークな暗号鍵を生成し、ゲートウェイＩＤと、送られてきた機器ＩＤ、機器認証ＩＤ、情報変換モジュールと共に前記カード型機器に、前記ゲートウェイカードスロットを介して、送付し、
前記カード型機器は、前記ゲートウェイから前記接続部を経由して、機器ＩＤ、機器認証ＩＤ、暗号鍵、情報変換モジュール、ゲートウェイＩＤを受信し、機器ＩＤと機器認証ＩＤと暗号鍵とゲートウェイＩＤを前記カード記憶部に設定し、情報変換モジュールを前記情報変換部に設定することを特徴とする請求項３に記載の通信機器システム。
【手続補正２】
【補正対象書類名】明細書
【補正対象項目名】０００８
【補正方法】変更
【補正の内容】
【０００８】
本発明の第１の解決手段によると、
カード型機器を制御対象機器に挿入又は接続することで、無線又は有線のネットワークを介して、前記カード型機器とゲートウェイが接続され、制御対象機器の機器認証が行われ、前記ゲートウェイに接続された保守制御又は遠隔監視用装置から前記制御対象機器の遠隔保守制御又は遠隔監視を行う通信機器システムであって、
前記カード型機器は、
前記制御対象機器又は他の装置のカードスロットにピン又は接点により接続するための接続部と、
無線又は有線のネットワークに接続するための通信部と、
予め定められたカードＩＤ、予め定められた認証局アドレス、機器認証ＩＤ、機器ＩＤ、ゲートウェイID、及び前記ゲートウェイが設定する暗号鍵を記憶するためのカード記憶部と、
前記ゲートウェイに設定される情報変換モジュールに従い、制御対象機器で使用される信号と前記ゲートウェイに接続された保守制御又は遠隔監視用装置で使用される遠隔保守制御情報又は遠隔監視情報との間でプロトコル変換又は他の変換処理を行なう情報変換部と、
前記情報変換手段からの情報を、前記カード記憶部に記憶された暗号鍵に基づき暗号化して前記通信手段により送り出し、一方、前記通信手段からの情報を、前記暗号鍵に基づき復号化して前記情報変換手段に送り出す暗号／復号化部と、を備え、
前記カード型機器が、前記接続部により前記制御対象機器に差し込まれ又は接続されると、前記カード型機器は、前記カード記憶部に記憶されたゲートウェイIDに従い、前記通信部によりネットワークを介して前記ゲートウェイとの間でセションを確立し、
前記カード型機器は、前記接続部を介して、前記制御対象機器から機器ＩＤを取得し、
前記カード型機器は、前記制御対象機器から前記接続部を介して取得した機器ＩＤと、前記カード記憶部に記憶された機器ＩＤとを比較し、
前記カード型機器は、両方の機器ＩＤが合致した場合、前記カード記憶部に記憶された機器認証ＩＤを、暗号鍵に従い前記暗号／複合化部により暗号化し、前記通信部によりネットワークを介して前記ゲートウェイに送信することで、前記ゲートウェイにより機器認証を実行し、
前記カード型機器は、前記ゲートウェイが機器認証を完了後、前記情報変換部により、情報変換モジュールに従い、前記制御対象機器の電気信号と前記ゲートウェイ側機器の情報家電用又は遠隔保守制御用又は遠隔監視用の情報との間でプロトコル変換又は他の変換処理を行ない、且つ、前記ゲートウェイから送られてきた該情報を、前記カード記憶部に記憶された暗号鍵に基づき、前記暗号／復号化部で復号化して前記情報変換部に送り、及び／又は、前記情報変換部から送られてきた情報を、前記カード記憶部に記憶された暗号鍵に基づき、暗号化して前記通信部によりネットワークを介して前記ゲートウェイに送ることを特徴とする通信機器システムが提供される。
【手続補正３】
【補正対象書類名】明細書
【補正対象項目名】０００９
【補正方法】変更
【補正の内容】
【０００９】
本発明の第２の解決手段によると、
カード型機器を制御対象機器に挿入又は接続することで、無線又は有線のネットワークを介して、前記カード型機器とゲートウェイが接続され、制御対象機器の機器認証が行われ、前記ゲートウェイに接続された保守制御又は遠隔監視用装置から前記制御対象機器の遠隔保守制御又は遠隔監視を行う通信機器システムにおけるカード型機器であって、
前記制御対象機器又は他の装置のカードスロットにピン又は接点により接続するための接続部と、
無線又は有線のネットワークに接続するための通信部と、
予め定められたカードＩＤ、予め定められた認証局アドレス、機器認証ＩＤ、機器ＩＤ、ゲートウェイID、及び前記ゲートウェイが設定する暗号鍵を記憶するためのカード記憶部と、
前記ゲートウェイに設定される情報変換モジュールに従い、制御対象機器で使用される信号と前記ゲートウェイに接続された保守制御又は遠隔監視用装置で使用される遠隔保守制御情報又は遠隔監視情報との間でプロトコル変換又は他の変換処理を行なう情報変換部と、
前記情報変換手段からの情報を、前記カード記憶部に記憶された暗号鍵に基づき暗号化して前記通信手段により送り出し、一方、前記通信手段からの情報を、前記暗号鍵に基づき復号化して前記情報変換手段に送り出す暗号／復号化部と、を備え、
前記カード型機器が、前記接続部により前記制御対象機器に差し込まれ又は接続されると、前記カード型機器は、前記カード記憶部に記憶された認証局アドレスに従い、前記通信部によりネットワークを介して前記ゲートウェイとの間でセションを確立し、
前記カード型機器は、前記接続部を介して、前記制御対象機器から機器ＩＤを取得し、
前記カード型機器は、前記制御対象機器から前記接続部を介して取得した機器ＩＤと、前記カード記憶部に記憶された機器ＩＤとを比較し、
前記カード型機器は、両方の機器ＩＤが合致したならば、前記カード記憶部に記憶された機器認証ＩＤを、暗号鍵に従い前記暗号／複合化部により暗号化し、前記通信部によりネットワークを介して前記ゲートウェイに送信することで、前記ゲートウェイにより機器認証を実行し、
前記ゲートウェイが機器認証を完了後、前記カード型機器は、前記情報変換部により、情報変換モジュールに従い、前記制御対象機器の電気信号と前記ゲートウェイ側機器の情報家電用又は遠隔保守制御用又は遠隔監視用の情報との間でプロトコル変換又は他の変換処理を行ない、且つ、前記ゲートウェイから送られてきた該情報を、前記カード記憶部に記憶された暗号鍵に基づき、前記暗号／復号化部で復号化して前記情報変換部に送り、及び／又は、前記情報変換部から送られてきた情報を、前記カード記憶部に記憶された暗号鍵に基づき、暗号化して前記通信部によりネットワークを介して前記ゲートウェイに送ることを特徴とするカード型機器が提供される。